(57)【要約】【課題】レンズ鏡胴の保持筒に対するレンズの組み付けを高精度かつ容易にする。【解決手段】レンズ２０、レンズを収容するべく光軸方向Ｌに軸心をもつ内周面１１を画定する保持筒１０を備えたレンズ鏡胴において、保持筒１０の内周面１１から径方向内側に突出すると共に光軸方向Ｌに伸長しかつ周方向に等間隔で配列して形成された弾性変形可能な複数の突条部１４を設け、これらの突状部１４を弾性変形させつつ、レンズ２０を保持筒１０に嵌合させる。これにより、保持筒１０に対するレンズ２０の傾き及び軸ずれあるいはガタツキ等が防止されて、レンズ２０の調芯及び位置決めが確実に行われると同時にレンズ２０が堅固に固定される。したがって、レンズ鏡胴の安定した組み付けが可能になり、品質の向上及び歩留まりの向上を達成することができる。【選択図】図１
2006284789.tif 000002
【特許請求の範囲】
【請求項１】
レンズと、前記レンズを収容するべく光軸方向に軸心をもつ内周面を画定する保持筒と、を備えたレンズ鏡胴であって、
前記保持筒は、前記内周面から径方向内側に突出すると共に光軸方向に伸長しかつ周方向に等間隔で配列して形成された弾性変形可能な複数の突条部を有する、
ことを特徴とするレンズ鏡胴。
【請求項２】
前記保持筒は、前記複数の突条部を一体的に画定するように、樹脂材料により形成されている、
ことを特徴とする請求項１記載のレンズ鏡胴。
【請求項３】
前記レンズの外径をφｄ±Δｄ（但し±Δｄは公差）、前記保持筒の内周面の内径をφＤ±ΔＤ（但し±ΔＤは公差）、前記複数の突条部に接触する内接円の直径をφＤ１±ΔＤ１（但し±ΔＤ１は公差）とするとき、
φＤ１±ΔＤ１＜φｄ±Δｄ＜φＤ±ΔＤ
を満足する、ことを特徴とする請求項１又２に記載のレンズ鏡胴。
【請求項４】
前記レンズは、小径からなる前側レンズ及び前記前側レンズに接合された大径からなる後側レンズを含む接合レンズからなり、
前記保持筒は、前記後側レンズの外周面を前記複数の突条部で保持している、
ことを特徴とする請求項１ないし３いずれかに記載のレンズ鏡胴。
【請求項５】
前記複数の突条部は、複数のレンズを保持するべく、光軸方向において異なる複数の箇所に設けられている、
ことを特徴とする請求項１ないし４いずれかに記載のレンズ鏡胴。
【請求項６】
前記複数の突条部は、複数のレンズを光軸方向の両側から嵌合可能に形成されている、
ことを特徴とする請求項５記載のレンズ鏡胴。
【請求項７】
前記複数の突条部は、外径の異なる複数のレンズを光軸方向の一方側から嵌合可能に多段的に形成されている、
ことを特徴とする請求項５又は６に記載のレンズ鏡胴。
【発明の詳細な説明】
【技術分野】
【０００１】
本発明は、デジタルカメラあるいは銀塩フィルム式カメラ等の光学系に適用されるレンズ鏡胴に関し、特に、レンズを調芯しつつ保持筒に嵌合させて固定するレンズ鏡胴に関する。
に関する。
【背景技術】
【０００２】
従来のレンズ鏡胴としては、レンズ及び保持筒（レンズホルダ）の寸法のバラツキ等により、保持筒に対してレンズのガタツキあるいはずれが生じるのを防止するために、保持筒の内周面にレンズを収容した後、保持筒の外周から熱を加えて、保持筒の端部にカシメ加工を施し、レンズを固定するものが知られている（例えば、特許文献１参照）。
しかしながら、この手法では、レンズのガタツキは防止できても、保持筒に対するレンズの傾きあるいは軸ずれ等を防止するのは困難であり、又、熱カシメ加工を施すための専用の装置が必要になり、製造コストの増加等を招く。
【０００３】
また、レンズを保持筒（レンズ枠）に固定する他の手法としては、レンズ及び保持筒（レンズ枠）からなるルーペにおいて、保持筒の内周面の二箇所に窪みを形成し、一方の窪みに複数のリブを設け、レンズに二つの窪みに嵌め込む突起を設け、レンズを保持筒に組み付けたとき、複数のリブがレンズの突起と密着することにより、保持筒に対してレンズを堅固に固定するものが知られている（例えば、特許文献２参照）。
しかしながら、この手法では、保持筒に対してレンズを堅固に固定することはできても、保持筒に対するレンズの傾きあるいは軸ずれ等を防止するのは困難であり、又、ルーペにおいては両者の位置決め精度を高精度に管理する必要もない。
【０００４】
【特許文献１】特開２００１−５１１７６号公報
【特許文献２】特開２００４−５３７８７号公報
【発明の開示】
【発明が解決しようとする課題】
【０００５】
本発明は、上記の事情に鑑みて成されたものであり、その目的とするところは、構造の簡略化、組み付けの容易化等を図りつつ、保持筒に対するレンズの傾き、軸ずれ、さらには、ガタツキ等を防止でき、特に光学性能への影響度の高い接合レンズにおいても、高精度で安定した組み付けが可能となり、品質の向上及び歩留まりの向上を図れるレンズ鏡胴を提供することにある。
【課題を解決するための手段】
【０００６】
本発明のレンズ鏡胴は、レンズと、レンズを収容するべく光軸方向に軸心をもつ内周面を画定する保持筒と、を備えたレンズ鏡胴であって、上記保持筒は、その内周面から径方向内側に突出すると共に光軸方向に伸長しかつ周方向に等間隔で配列して形成された弾性変形可能な複数の突条部を有する、ことを特徴としている。
この構成によれば、レンズを保持筒に組み込む際に、レンズ（の外周面）が、保持筒の内周面に等間隔で配列された複数の突条部を径方向外向きに弾性変形させつつ嵌合されるため、保持筒に対するレンズの傾き及び軸ずれあるいはガタツキ等が防止されて、レンズの調芯及び位置決めが確実に行われると同時にレンズが堅固に固定される。
これにより、レンズ鏡胴の安定した組み付けが可能になり、品質の向上及び歩留まりの向上を達成することができる。
【０００７】
上記構成において、保持筒は、複数の突条部を一体的に画定するように、樹脂材料により形成されている、構成を採用することができる。
この構成によれば、保持筒が複数の突条部を含めて樹脂材料により形成されているため、複数の突条部を弾性変形可能に容易に形成することができ、別体に形成された弾性変形可能な突条部を保持筒に後付けする場合に比べて、部品点数を削減でき、又、製造コストを低減できる。
【０００８】
上記構成において、レンズの外径をφｄ±Δｄ（但し±Δｄは公差）、保持筒の内周面の内径をφＤ±ΔＤ（但し±ΔＤは公差）、複数の突条部に接触する内接円の直径をφＤ１±ΔＤ１（但し±ΔＤ１は公差）とするとき、
φＤ１±ΔＤ１＜φｄ±Δｄ＜φＤ±ΔＤ
を満足する、構成を採用することができる。
この構成によれば、レンズの外径が最小値φｄ−Δｄ〜最大値φｄ＋Δｄ、保持筒の内周面の内径が最小値φＤ−ΔＤ〜最大値φＤ＋ΔＤ、複数の突条部に接触する内接円の直径が最小値φＤ１−ΔＤ１〜最大値φＤ１＋ΔＤ１でそれぞれバラツキを生じても、レンズの外径φｄ±Δｄは、複数の突条部に接触する内接円の直径φＤ１±ΔＤ１よりも常に大きくかつ保持筒の内周面の内径φＤ±ΔＤよりも常に小さくなるように形成されているため、レンズは複数の突条部を弾性変形させつつ嵌合されて保持筒に確実に固定される。
【０００９】
上記構成において、レンズは、小径からなる前側レンズ及び前側レンズに接合された大径からなる後側レンズを含む接合レンズからなり、保持筒は、後側レンズの外周面を複数の突条部で保持している、構成を採用することができる。
この構成によれば、小径レンズ及び大径レンズからなる接合レンズを保持筒に組み付ける際に、大径レンズの外周面が複数の突条部を弾性変形させつつ嵌合されるため、組み付けを容易に行うことができると共に、保持筒に対する接合レンズの傾き及び軸ずれ等を確実に防止でき、高い光学性能を確保することができる。
【００１０】
上記構成において、複数の突条部は、複数のレンズを保持するべく、光軸方向において異なる複数の箇所に設けられている、構成を採用することができる。
この構成によれば、単レンズあるいは接合レンズだけでなく、保持筒に対して複数のレンズを傾き及び軸ずれ等を防止しつつ、光軸方向に配列して高精度にかつ堅固に組み付けることができる。
【００１１】
上記構成において、複数の突条部は、複数のレンズを光軸方向の両側から嵌合可能に形成されている、構成を採用することができる。
この構成によれば、複数のレンズを、保持筒の前方及び後方から光軸方向に配列して高精度にかつ堅固に組み付けることができる。
【００１２】
上記構成において、複数の突条部は、外径の異なる複数のレンズを光軸方向の一方側から嵌合可能に多段的に形成されている、構成を採用することができる。
この構成によれば、外径のことなる複数のレンズを、保持筒に対して光軸方向の一方側から（保持筒の前方から又は後方から）、光軸方向に配列して高精度にかつ堅固に組み付けることができる。
【発明の効果】
【００１３】
上記構成をなすレンズ鏡胴によれば、構造の簡略化、組み付けの容易化等を達成しつつ、レンズを保持筒に組み付ける際に、保持筒に対するレンズの傾き、軸ずれ、さらには、ガタツキ等を防止でき、特に光学性能への影響度の高い接合レンズを組み付ける際にも、高精度で安定した組み付けが可能となる。したがって、レンズ鏡胴の製造において、品質の向上及び歩留まりの向上を達成することができる。
【発明を実施するための最良の形態】
【００１４】
以下、本発明の最良の実施形態について、添付図面を参照しつつ説明する。
図１ないし図３は、本発明に係るレンズ鏡胴の一実施形態を示すものであり、図１はレンズ鏡胴の後面図及び断面図、図２は保持筒とレンズの関係を示す断面図、図３は保持筒にレンズが嵌合された状態での突条部の状態を示す後面図及び部分拡大図である。
【００１５】
このレンズ鏡胴は、図１及び図２に示すように、円筒状の保持筒１０、保持筒１０に保持されるレンズ２０により形成されている。
保持筒１０は、弾性変形可能な樹脂材料により略円筒状に一体的に形成されており、図１及び図２に示すように、光軸方向Ｌに軸心をもつと共にレンズ２０を収容する空間を画定する内周面１１、外輪郭をなす外周面１２、内周面１１において所定口径の開口部１３ａを画定する環状段差部１３、内周面１１において周方向に等間隔で配列して形成された複数（ここでは、４個）の突条部１４、外周面１２から径方向外側に突出して先端にフォロワピン（不図示）を保持する腕部１５等を備えている。尚、このレンズ鏡胴は、腕部１５に設けられたフォロワピンを介してカム筒等により光軸方向に移動自在に支持されるものである。
【００１６】
４個の突条部１４は、内周面１１から径方向内側に突出すると共に光軸方向Ｌに伸長し、かつ、周方向において９０度の等間隔で配列して形成されており、径方向において弾性変形可能になっている。このように、４個の突条部１４は、周方向に等間隔で配列されているため、レンズ２０が嵌合された場合、レンズ２０に対して周方向から均等に保持力が作用し、レンズ２０の傾き、軸ずれ、あるいは、ガタツキ等を防止して、調芯を行うことができる。また、４個の突条部１４は、弾性変形可能であれば、別体として形成されて後付けされてもよいが、保持筒１０に対して樹脂材料により一体的に形成されているため、突条部１４を複数個容易に形成することができ、別体の場合に比べて、部品点数を削減でき、又、製造コストを低減できる。
【００１７】
また、４個の突条部１４と内周面１１との関係については、図２に示すように、内周面１１の内径が、製造上の寸法公差±ΔＤ１を考慮してφＤ±ΔＤとなるように形成され、４個の突条部１４は、これらに接触する内接円の直径が、製造上の寸法公差±ΔＤ１を考慮してφＤ１±ΔＤ１（ここで、φＤ１±ΔＤ１＜φＤ±ΔＤ）となるように、先端が断面半円状に湾曲して形成されている。
【００１８】
レンズ２０は、樹脂材料又はガラス材料により形成されており、図１及び図２に示すように、小径からなる前側レンズ２１と大径からなる後側レンズ２２との接合レンズとして形成されている。
前側レンズ２１は、両面が凸状に形成された両凸レンズであり、後側レンズ２２は両面が凹状に形成された両凹レンズである。
そして、図２に示すように、後側レンズ２２の外径は、製造上の寸法公差±Δｄを考慮してφｄ±Δｄとなるように形成されている。
【００１９】
また、保持筒１０とレンズ２０とは、レンズ２０（後側レンズ２２）の外径φｄ±Δｄ（但し±Δｄは公差）、保持筒１０の内周面１１の内径φＤ±ΔＤ（但し±ΔＤは公差）、複数の突条部１４に接触する内接円の直径φＤ１±ΔＤ１（但し±ΔＤ１は公差）の相互関係が、
φＤ１±ΔＤ１＜φｄ±Δｄ＜φＤ±ΔＤ
を満足するように形成されている。
【００２０】
これによれば、レンズ２０（後側レンズ２２）の外径が最小値φｄ−Δｄ〜最大値φｄ＋Δｄ、保持筒１０の内周面１１の内径が最小値φＤ−ΔＤ〜最大値φＤ＋ΔＤ、複数の突条部１４に接触する内接円の直径が最小値φＤ１−ΔＤ１〜最大値φＤ１＋ΔＤ１でそれぞれバラツキを生じても、レンズ２０（後側レンズ２２）は、複数の突条部１４を常に圧縮して弾性変形させつつ嵌合されて、内周面１１に非接触の状態で保持筒１０に確実に固定される。
【００２１】
すなわち、レンズ２０（後側レンズ２２）の外径がφｄ−Δｄ、内周面の内径がφＤ＋ΔＤ、突条部１４の内接円の直径がφＤ１＋ΔＤ１のとき、突条部１４の圧縮による弾性変形量は最も小さくなるものの、図３（ａ）に示すように、レンズ２０（後側レンズ２２）は、保持筒１０に対して傾き及び軸ずれあるいはガタツキを生じることなく、所定の嵌合力で保持されて確実に固定される。また、レンズ２０（後側レンズ２２）の外径がφｄ＋Δｄ、内周面１１の内径がφＤ−ΔＤ、突条部１４の内接円の直径がφＤ１−ΔＤ１のとき、突条部１４の圧縮による弾性変形量は最も大きくなり、図３（ｂ）に示すように、レンズ２０（後側レンズ２２）は、保持筒１０に対して傾き及び軸ずれあるいはガタツキを生じることなく、より強い嵌合力で保持されて確実に固定される。
【００２２】
この実施形態によれば、レンズ鏡胴の組み付けに際して、レンズ２０を保持筒１０の後方から内周面１１に近づけ、前側レンズ２１が環状段部１３に接触して位置決めされるまで、後側レンズ２２の外周面が４個の突条部１４を圧縮して弾性変形させた状態になるように嵌合させることにより、容易に組み付けることができる。
また、保持筒１０の軸心（光軸方向Ｌ）に対するレンズ２０の光軸の傾き及び軸ずれ、さらには、レンズ２０のガタツキ等を防止でき、特に光学性能への影響度の高い接合レンズ２０を、高精度に安定して組み付けることができ、レンズ鏡胴の製造において、品質の向上及び歩留まりの向上を達成することができる。
【００２３】
図４（ａ），（ｂ）は、本発明に係るレンズ鏡胴の他の実施形態を示すものであり、前述の実施形態と同一の構成については同一の符号を付してその説明を省略する。
この実施形態においては、保持筒１０´の内周面１１において、１２個の突条部１４が一体的に形成されている。
すなわち、１２個の突条部１４は、内周面１１の周方向において３０度の等間隔に配列して形成されている。したがって、レンズ２０（後側レンズ２２）の外周面と接触する突条部１４の個数が増えた分だけ、調芯作用はより高精度に行われて、傾き及び軸ずれ等が防止され、嵌合力もさらに強くなってガタツキ等が防止され、より堅固に固定されることになる。これにより、レンズ鏡胴の安定した組み付けが可能になり、品質の向上及び歩留まりの向上が達成される。
【００２４】
図５（ａ），（ｂ）は、本発明に係るレンズ鏡胴のさらに他の実施形態を示すものであり、前述の実施形態と同一の構成については同一の符号を付してその説明を省略する。
この実施形態においては、保持筒１０´´の内周面１１において、４個の突条部１４´が一体的に形成されている。
この４個の突条部１４´は、レンズ２０（後側レンズ２２）の外周面が接触する先端が半円状ではなく平坦面に形成されており、内周面１１に対して実質的に突出した形状となっている。
この場合も前述同様に、レンズ２０の調芯作用がより高精度に行われて、レンズ２０の傾き及び軸ずれ等が防止され、嵌合力もさらに強くなってガタツキ等が防止され、より堅固に固定されることになる。これにより、レンズ鏡胴の安定した組み付けが可能になり、品質の向上及び歩留まりの向上が達成される。
【００２５】
図６（ａ），（ｂ），（ｃ）は、本発明に係るレンズ鏡胴のさらに他の実施形態を示すものであり、前述の実施形態と同一の構成については同一の符号を付してその説明を省略する。
この実施形態において、保持筒１１０は、弾性変形可能な樹脂材料により略円筒状に一体的に形成されており、図６（ａ），（ｂ），（ｃ）に示すように、環状段差部１３を境に光軸方向Ｌの異なる位置において、後方にレンズ２０を収容する内周面１１及び複数（４個）の突条部１４、前方にレンズ１２０を収容する内周面１１及び複数（４個）の突条部１４を備えている。
レンズ１２０は、樹脂材料又はガラス材料により、両面が凸状に形成された両凸レンズである。
尚、保持筒１１０の前方の内周面１１の内径φＤ±ΔＤ、突状部１４の内接円の直径φＤ１±ΔＤ１、レンズ１２０の外径φｄ±Δｄの関係については、前述の実施形態と同様である。
【００２６】
この実施形態によれば、レンズ鏡胴の組み付けに際して、レンズ２０を保持筒１０の後方から内周面１１に近づけ、後側レンズ２２の外周面が４個の突条部１４を圧縮して弾性変形させた状態になるように嵌合させ、又、レンズ１２０を保持筒１０の前方から内周面１１に近づけ、環状段差部１３に接触して位置決めされるまで、レンズ１２０の外周面が４個の突条部１４を圧縮して弾性変形させた状態になるように嵌合させることにより、レンズ２０，１２０を保持筒１１０に対して容易に組み付けることができる。
また、保持筒１１０の軸心（光軸方向Ｌ）に対するレンズ２０，１２０の光軸の傾き及び軸ずれ、さらには、レンズ２０，１２０のガタツキ等を防止でき、高精度に安定して組み付けることができ、レンズ鏡胴の製造において、品質の向上及び歩留まりの向上を達成することができる。
【００２７】
図７（ａ）は、本発明に係るレンズ鏡胴のさらに他の実施形態を示すものであり、前述の実施形態と同一の構成については同一の符号を付してその説明を省略する。
この実施形態においては、保持筒１０が同一の外径をなす２つのレンズ１２０を収容して保持するものである。
すなわち、レンズ鏡胴の組み付けに際して、一方のレンズ１２０を環状段差部１３に接触するまで保持筒１０の後方から内周面１１に近づけてその外周面で４個の突条部１４を圧縮して弾性変形させつつ嵌合せ、続いて、一方のレンズ１２０にスペーサ２００の一端部が接触するまでスペーサ２００を保持筒１０の後方から内周面１１に近づけてその外周面で４個の突状部１４を圧縮して弾性変形させつつ嵌合させ、さらに、他方のレンズ１２０をスペーサ２００の他端部に接触するまで保持筒１０の後方から内周面１１に近づけてその外周面で４個の突条部１４を圧縮して弾性変形させつつ嵌合せる。
【００２８】
これにより、環状段差部１３とスペーサ２００の光軸方向Ｌの２つの端部とで位置決めされる２つのレンズ１２０を、保持筒１０に対して容易に組み付けることができ、又、保持筒１０の軸心（光軸方向Ｌ）に対する２つのレンズ１２０の光軸の傾き及び軸ずれ、さらには、２つのレンズ１２０のガタツキ等を防止でき、レンズ鏡胴の製造において、品質の向上及び歩留まりの向上を達成することができる。
【００２９】
図７（ｂ）は、本発明に係るレンズ鏡胴のさらに他の実施形態を示すものであり、前述の実施形態と同一の構成については同一の符号を付してその説明を省略する。
この実施形態においては、保持筒２１０が外径の異なる２つのレンズ１２０，１２０´を収容して保持するものである。
保持筒２１０は、弾性変形可能な樹脂材料により略円筒状に形成されており、大径の内周面１１及び小径の内周面１１´´、内周面１１に設けられた４個の突状部１４、内周面１１´´に設けられた４個の突状部１４´´等を一体的に備えている。
尚、保持筒２１０の内周面１１´´の内径φＤ±ΔＤ、突状部１４´´の内接円の直径φＤ１±ΔＤ１、レンズ１２０´の外径φｄ±Δｄの関係については、前述の実施形態と同様である。
レンズ１２０，１２０´は、樹脂材料又はガラス材料により、両面が凸状に形成された両凸レンズであり、レンズ１２０が大径で、レンズ１２０´が小径をなすものである。
【００３０】
すなわち、複数の突条部１４，１４´´は、外径の異なる２つレンズ１２０，１２０´を光軸方向Ｌの後方（一方側）から嵌合可能に多段的に形成されている。
レンズ鏡胴の組み付けに際しては、小径のレンズ１２０´を環状段差部１３に接触して位置決めされるまで保持筒２１０の後方から内周面１１´´に近づけてその外周面で４個の突条部１４´´を圧縮して弾性変形させつつ嵌合せ、続いて、大径のレンズ１２０を内周面１１´´の後端縁部に接触して位置決めされるまで保持筒２１０の後方から内周面１１に近づけてその外周面で４個の突条部１４を圧縮して弾性変形させつつ嵌合せる。
【００３１】
これにより、外径の異なる２つのレンズ１２０，１２０´を保持筒２１０に対して光軸方向Ｌに配列して容易に組み付けることができ、又、保持筒２１０の軸心（光軸方向Ｌ）に対する２つのレンズ１２０，１２０´の光軸の傾き及び軸ずれ等を防止して高精度に、かつ、２つのレンズ１２０，１２０´のガタツキ等を防止して堅固に組み付けることができる。したがって、レンズ鏡胴の製造において、品質の向上及び歩留まりの向上を達成することができる。
【００３２】
上記実施形態においては、デジタルカメラあるいは銀塩フィルム式カメラに適用されて光軸方向に移動自在に支持されるレンズ鏡胴、すなわち、保持筒がフォロワピンを保持する場合において、本発明を適用した場合を示したが、これに限定されるものではなく、光軸方向において固定されるレンズ鏡胴において本発明を採用してもよい。
【００３３】
上記実施形態においては、複数の突状部を光軸方向において異なる複数の箇所に設ける場合として、図６又は図７（ｂ）に示すように、光軸方向Ｌにおいて異なる２箇所に設けた場合を示したが、これに限定されるものではなく、３箇所以上の異なる箇所に設けてもよい。
【００３４】
また、上記実施形態においては、複数の突状部１４，１４´，１４´´を保持筒１０，１０´´、２１０に対して一体的に形成する場合を示したが、これに限定されるものではなく、弾性変形可能な材料により予め別体として形成された突状部を、保持筒の内周面に後付けする構成を採用してもよい。
【産業上の利用可能性】
【００３５】
以上述べたように、本発明のレンズ鏡胴は、構造の簡略化、組み付けの容易化等を達成しつつ、保持筒に対するレンズの傾き、軸ずれ、さらには、ガタツキ等を防止でき、高精度で安定した組み付けが可能となるため、デジタルカメラ、銀塩フィルム式カメラのレンズ鏡胴として適用できるのは勿論のこと、その他の光学系のレンズ鏡胴としても有用である。
【図面の簡単な説明】
【００３６】
【図１】本発明に係るレンズ鏡胴の一実施形態を示すものであり、（ａ）は保持筒にレンズを組み付けた状態を示す後面図、（ｂ）は保持筒にレンズを組み付けた状態を示す断面図である。
【図２】図１に示すレンズ鏡胴を構成する保持筒とレンズとの関係を示す断面図である。
【図３】（ａ），（ｂ）は、保持筒にレンズが嵌合された状態における複数の突状部とレンズとの関係を示す後面図及び部分拡大図である。
【図４】本発明に係るレンズ鏡胴の一部をなす保持筒の他の実施形態を示すものであり、（ａ）は斜視図、（ｂ）は後面図である。
【図５】本発明に係るレンズ鏡胴の一部をなす保持筒のさらに他の実施形態を示すものであり、（ａ）は斜視図、（ｂ）は後面図である。
【図６】本発明に係るレンズ鏡胴のさらに他の実施形態を示すものであり、（ａ）は保持筒にレンズを組み付けた状態を示す前面図、（ｂ）は保持筒にレンズを組み付けた状態を示す断面図、（ｃ）は保持筒にレンズを組み付けた状態を示す後面図である。
【図７】（ａ），（ｂ）は、本発明に係るレンズ鏡胴のさらに他の実施形態をそれぞれ示す断面図である。
【符号の説明】
【００３７】
Ｌ  光軸方向
１０，１０´，１０´´，１１０，２１０  保持筒
１１，１１´，１１´´  内周面
１２  外周面
１３  環状段差部
１３ａ  開口部
１４，１４´，１４´´  複数の突状部
１５  腕部
２０  レンズ（接合レンズ）
２１  前側レンズ
２２  後側レンズ
１２０，１２０´  レンズ
【図１】
2006284789.tif 000003
【図２】
2006284789.tif 000004
【図３】
2006284789.tif 000005
【図４】
2006284789.tif 000006
【図５】
2006284789.tif 000007
【図６】
2006284789.tif 000008
【図７】
2006284789.tif 000009